(57)【要約】【課題】基板の端子と、キャビネットの開放部とを正確に位置合わせすることができ、端子及び開放部間のすきまを僅少にできる表示装置を提供する。【解決手段】前側に表示面を有する表示部と、導線が接続／切離される複数の端子を有し、前記表示部の後側に取付けてある基板４と、前記表示部の後側を被覆するキャビネット３とを備え、基板４及びキャビネット３の一方に孔４２を開設し、該孔４２に嵌入される凸部３６を他方に設け、基板４及びキャビネット３の前記表示面に沿う方向への相対移動を規制することにより、基板４の端子と、キャビネット３の開放部とを正確に位置合わせすることができるようにした。【選択図】図７
2008292689.tif 000002
【特許請求の範囲】
【請求項１】
前側に表示面を有する表示部と、導線が接続／切離される端子を有し、前記表示部の後側に取付けてある基板と、前記端子に対応する箇所に開放部を有し、前記表示部の後側を被覆するキャビネットとを備える表示装置において、前記基板及びキャビネットは、該基板及びキャビネットの前記表示面に沿う方向への相対移動を規制する規制手段を備えることを特徴とする表示装置。
【請求項２】
前記規制手段は、前記基板及びキャビネットの一方に開設されている孔と、該孔に嵌入され、他方に突設されている凸部とを有する請求項１記載の表示装置。
【請求項３】
前記表示部及びキャビネットは、該キャビネットの表示部に対する位置決め手段を備える請求項１又は２記載の表示装置。
【請求項４】
前記凸部は筒形をなし、前記表示部は前記凸部内に嵌入される軸部を有する請求項２記載の表示装置。
【請求項５】
前記位置決め手段は、前記表示部及びキャビネットの一方に開設されている嵌入孔と、該嵌入孔に嵌入され、他方に突設されている軸部とを有する請求項３記載の表示装置。
【請求項６】
前記表示部は、前記基板を支持している支持板を有し、該支持板に前記軸部を一体に成形してある請求項４又は５記載の表示装置。
【発明の詳細な説明】
【技術分野】
【０００１】
本発明は液晶表示装置、プラズマ表示装置、ＳＥＤディスプレイ、ＥＬディスプレイ等の表示装置に関する。
【背景技術】
【０００２】
テレビジョン等の表示装置は、画像を表示する表示面を前側に有する表示部と、該表示部の周縁部に被嵌して該周縁部を取り囲む枠体と、前記表示部の後側を被覆するキャビネットとを備え、枠体及びキャビネットの周縁部がビス等の雄螺子により表示部の周縁部に取付けられている（例えば特許文献１参照）。
【０００３】
また、液晶テレビジョンは各種映像信号を出力するためのパネル部と、該パネル部の後側に配され、パネル部へ光を照射するバックライト部と、該バックライト部の後側に取付けられ、外部機器との間でケーブル等の導線が接続／切離される複数の端子を実装してある端子基板等の基板とにより表示部が構成されている。また、基板の端子は、前記導線を表示部の側方から横方向へ接続／切離することができるように並置されており、また、キャビネットの側部には、前記複数の端子に対応する複数の開放部が開設されている。
【特許文献１】特開２００４−１５１３０５号公報
【発明の開示】
【発明が解決しようとする課題】
【０００４】
ところで、表示装置のキャビネットは合成樹脂により一体成形されているため、表示装置が比較的大型である場合、キャビネットに寸法のバラツキが生じ易くなる。
【０００５】
ところが、キャビネットは周縁部が表示部の周縁部に雄螺子により取付けられており、また、基板はキャビネットの周縁部と離隔する箇所に取付けられているため、基板の端子が、前記導線を表示部の後方から前後方向へ接続／切離することができるように表示部の後面に並置され、端子に対応する複数の開放部がキャビネットの後面に開設される表示装置にあっては、キャビネットの寸法のバラツキにより、端子に対する開放部の位置がずれ、基板の端子とキャビネットの開放部とを正確に位置合わせすることができず、端子及び開放部間に比較的大きな隙間が生ずることになり、改善策が要望されていた。
【０００６】
本発明は斯かる事情に鑑みてなされたものであり、主たる目的は基板の端子と、キャビネットの開放部とを正確に位置合わせすることができ、端子及び開放部間のすきまを僅少にできる表示装置を提供することにある。
【課題を解決するための手段】
【０００７】
本発明に係る表示装置は、前側に表示面を有する表示部と、導線が接続／切離される端子を有し、前記表示部の後側に取付けてある基板と、前記端子に対応する箇所に開放部を有し、前記表示部の後側を被覆するキャビネットとを備える表示装置において、前記基板及びキャビネットは、該基板及びキャビネットの前記表示面に沿う方向への相対移動を規制する規制手段を備えることを特徴とする。
【０００８】
この発明にあっては、基板及びキャビネットの表示面に沿う方向への相対移動を規制手段が規制しているため、比較的大形の表示装置でキャビネットに寸法のバラツキが生じ易い場合であっても、基板の端子と、キャビネットの開放部とを正確に位置合わせすることができ、端子及び開放部間の隙間を僅少にできるとともに、キャビネットの組込作業性を高めることができる。
【０００９】
また、本発明に係る表示装置は、前記規制手段は、前記基板及びキャビネットの一方に開設されている孔と、該孔に嵌入され、他方に突設されている凸部とを有することが好ましい。
この発明にあっては、規制手段を簡易に構成することができ、また、キャビネットが組込まれる際、凸部が孔に嵌入されることにより、基板及びキャビネットの相対移動を簡易に規制することができる。
【００１０】
また、本発明に係る表示装置は、前記表示部及びキャビネットは、該キャビネットの表示部に対する位置決め手段を備えることが好ましい。
この発明にあっては、キャビネットの表示部に対する位置を位置決め手段が決めているため、規制手段に影響されることなくキャビネットを表示部に簡易に取付けることができる。
【００１１】
また、本発明に係る表示装置は、前記凸部は筒形をなし、前記表示部は前記凸部内に嵌入される軸部を有することが好ましい。
この発明にあっては、規制手段の凸部が位置決め手段の一部を兼ねるため、位置決め手段の構成を簡易にでき、キャビネットを表示部により一層簡易に取付けることができる。
【００１２】
また、本発明に係る表示装置は、前記位置決め手段は、前記表示部及びキャビネットの一方に開設されている嵌入孔と、該嵌入孔に嵌入され、他方に突設されている軸部とを有することが好ましい。
この発明にあっては、キャビネットが組込まれる際、軸部が嵌入孔に嵌入されることにより、キャビネットの表示部に対する位置を決めることができる。
【００１３】
また、本発明に係る表示装置は、前記表示部は、前記基板を支持している支持板を有し、該支持板に前記軸部を一体に成形してあることが好ましい。
この発明にあっては、基板を支持している支持板に、位置決め手段を構成する軸部が一体に成形されているため、規制手段の近傍に位置決め手段を配することができ、規制手段による規制及び位置決め手段による位置決めを簡易にできる。
【発明の効果】
【００１４】
以上詳述したように本発明によれば、基板の端子と、キャビネットの開放部とを規制手段により正確に位置合わせすることができ、端子及び開放部間の隙間を僅少にできる。
【発明を実施するための最良の形態】
【００１５】
以下本発明をその実施の形態を示す図面に基づいて詳述する。
実施の形態１
図１は本発明に係る表示装置の構成を示す縦断側面図、図２は表示装置の構成を示す正面図である。
【００１６】
図示した表示装置は、前側にパネル部１１を有し、後側に該パネル部１１へ光を照射するバックライト部１２及び該バックライト部１２の後側の面１ａに取付けられている基板モジュールＡを有し、略直方体をなす表示部１と、該表示部１の周縁部に被嵌して該周縁部を取り囲む枠体２と、表示部１の後側を覆うキャビネット３とを備える。
【００１７】
パネル部１１は、前側に表示面を有し略直方体をなすパネル１１ａ、及び該パネル１１ａの後側に配置された拡散板等の光学シート１１ｂを備える。バックライト部１２は、前記光学シート１１ｂの後側に上下に並置され、該光学シート１１ｂ側へ光を照射する複数本のランプ１２ａと、該ランプ１２ａを収容支持し、箱形をなすシャーシ１２ｂとを備え、パネル部１１の周縁部がシャーシ１２ｂに支持されている。ランプ１２ａは両端部に電極を有する冷陰極管であり、夫々のランプ１２ａの両端部の電極にインバータ回路基板が接続され、パルス幅変調信号により明るさが制御されるように構成されている。
【００１８】
シャーシ１２ｂは略直方体をなし、金属板を成形してなる枠部１２ｃと、該枠部１２ｃの後側端を閉塞し、金属板を成形してなる蓋板部１２ｄとを有し、該蓋板部１２ｄが表示部１の後側の面１ａになっており、該後側の面１ａに基板モジュールＡが取付けられている。また、シャーシ１２ｂの周縁部には取付用孔１２ｅを有する取付片１２ｆが設けられている（図９参照）。
【００１９】
図３は基板モジュールＡの構成を示す背面図、図４は支持板５の構成を示す背面図、図５は支持板５の構成を示す側面図、図６は基板モジュールＡがシャーシ１２ｂに取付けられた状態を示す側面図、図７は要部の拡大断面図、図８は要部の部品を分解した状態の拡大断面図である。基板モジュールＡは、外部機器との間で入出力される入出力信号用の端子４１、パネル部１１に表示する映像を処理させる処理回路、該処理回路に電圧を供給する電源回路等を有する基板４と、該基板４を一面に取付けてある支持板５とを備える。基板４には後記する軸部が各遊嵌される複数の孔４２が開設されている。
【００２０】
端子４１は、Ｄ端子と、三系統のＲＣＡピン−ビデオ入力端子と、Ｓ端子と、アナログチューナ端子と、デジタルチューナ端子と、ＤＶＩ端子と、ＨＤＭＩ端子と、ｉ−ＬＩＮＫ端子とを有し、基板の背面に並置されている。尚、Ｄ端子はデジタルチューナとテレビジョンとを結ぶデジタル放送映像用であり、ＲＣＡピン−ビデオ入力端子は外部機器のビデオ出力信号を取り込むものであり、Ｓ端子は輝度信号と色信号とを分離して電送することにより相互の干渉による映像劣化を抑えたＳビデオ信号を入出力するものであり、アナログチューナ端子はアナログ放送の映像を受信するものであり、デジタルチューナ端子はデジタル放送の映像を受信するものであり、ＤＶＩ端子はパーソナルコンピュータ等の外部機器を接続するためのものであり、ＨＤＭＩ端子はデジタル映像及び音声を取り込むためのものであり、ｉ−ＬＩＮＫ端子は、デジタル放送を取り込むためのものである。
【００２１】
支持板５は後側の面１ａと対向し、基板４が一面に取付けられる板部５１と、該板部５１の側縁からシャーシ側へ立上る取付片５２，５３とを有し、後側の面１ａに突設されている掛止ピンに一方の取付片５２が引掛けられ、他方の取付片５３がビス等の雄螺子で後側の面１ａに取付けられることにより、各端子４１を後側に配するように構成されている。板部５１には基板４を支持する複数の支持片５４が切起しにより一体に成形されおり、該支持片５４に円筒形をなす軸部５５がバーリング加工により一体に成形されている。この軸部５５は後方へ延出され、前後方向に貫通する螺子孔５５ａが中心部に設けられている。
【００２２】
図９は表示装置の構成を示す一部を拡大した縦断側面図である。枠体２はパネル部１１の前面を覆い、上部及び下部が長辺の環板部２１と、該環板部２１の外周縁に連なり、パネル部１１の周縁と対向する枠部２２とを有し、合成樹脂により一体に成形されている。環板部２１には、螺子孔２３ａを有し、取付用孔１２ｅに対応する複数のボス２３が一体に成形されている。ボス２３は円筒形をなし、後方へ延出されている。
【００２３】
図１０はキャビネット３の構成を示す背面図である。キャビネット３は、図９，図１０に示すように表示部１の周縁部を被覆する枠部３１と、深皿形をなし、表示部１の後側を被覆する蓋板部３２とを有し、合成樹脂により一体に成形されている。枠部３１には取付用孔１２ｅ及びボス２３の螺子孔２３ａに対応する挿通孔３３ａを有する複数のボス３３が設けてあり、挿通孔３３ａに挿入されるビス等の雄螺子６を取付用孔１２ｅからボス２３の螺子孔２３ａに締込むことにより、キャビネット３及び枠体２をシャーシ１２ｂに取付けるように構成されている。
【００２４】
蓋板部３２の上下方向中間で、基板モジュールＡの基板４と対向する箇所には、端子４１に対応する大きさに開設されている複数の開放部３４と、前方へ向けて延出され、円筒形をなす複数のボス３５と、該ボス３５の先端に成形され、孔４２に嵌入される凸部３６とが設けられている。開放部３４は端子４１の各先端部とほぼ符合する大きさに開設されている。凸部３６は円筒形をなし、内側の孔３６ａに軸部５５が嵌入されるように構成されている。また、凸部３６の先端は面取りされ、孔４２に嵌入される際のガイド面になっている。尚、凸部３６及び孔４２が、基板４及びキャビネット３の表示面に沿う方向への相対移動を規制する規制手段を構成し、軸部５５及び孔３６ａが、キャビネット３の表示部１に対する位置を決める位置決め手段を構成している。
【００２５】
以上のように構成された表示装置は、バックライト部１２のシャーシ１２ｂに基板モジュールＡの支持板５が取付けられており、該支持板５の支持片５４に軸部５５が設けられ、基板４に相対移動規制用の孔４２が設けられているため、キャビネット３が組込まれる際、例えば基板４の孔４２に軸部５５が遊嵌され、基板４を仮位置決めした状態でキャビネット３を表示部１の後側に被せることにより、該キャビネット３の凸部３６を基板４の孔４２に嵌入することができ、さらに、軸部５５を凸部３６の孔３６ａに嵌入することができる。この嵌入により基板４とキャビネット３との表示面に沿う方向への相対移動を規制することができるとともに、キャビネット３のシャーシ１２ｂ（表示部１）に対する位置を決めることができる。この後、キャビネット３のボス３５から孔３６ａに挿入されるビス等の雄螺子７を軸部５５の螺子孔５５ａに締込むことにより、基板４を支持板５の支持片５４に挾着固定することができるとともに、キャビネット３の蓋板部３２を、支持板５を介してシャーシ１２ｂに固定することができる。従って、比較的大形の表示装置でキャビネット３に寸法のバラツキが生じ易い場合であっても、基板４に実装されている端子４１と、キャビネット３の開放部３４とを正確に位置合わせすることができ、端子４１外周部と開放部３４との間の隙間を僅少にできる。
【００２６】
キャビネット３の蓋板部３２がシャーシ１２ｂに固定された後、表示部１の前側から枠体２を表示部１の周縁部に被せ、キャビネット３の周縁部の挿通孔３３ａに挿入されるビス等の雄螺子６を取付用孔１２ｅからボス２３の螺子孔２３ａに締込むことにより、キャビネット３の周縁部及び枠体２をシャーシ１２ｂ（表示部１）に取付けることができる。この場合、挿通孔３３ａ及び取付用孔１２ｅは、雄螺子６よりも若干大径に形成されているため、取付用孔１２ｅに対する挿通孔３３ａの位置が多少ずれている場合においてもキャビネット３の周縁部をシャーシ１２ｂに固定することができる。
【００２７】
また、基板４及びキャビネット３の一方に開設されている孔４２と、該孔４２に嵌入され、他方に突設されている凸部３６とが規制手段を構成しているため、規制手段を簡易に構成することができる。
また、キャビネット３の表示部１に対する位置決め手段を設けてあるため、規制手段に影響されることなくキャビネット３を表示部１に簡易に取付けることができる。
【００２８】
また、凸部３６を筒形とし、該凸部３６内に嵌入される軸部５５を表示部１のシャーシ１２ｂに設けてあるため、位置決め手段の構成を簡易にでき、キャビネットを表示部により一層簡易に取付けることができる。
【００２９】
また、基板４を支持している支持板５に軸部５５を一体に成形してあるため、規制手段による規制及び位置決め手段による位置決めを簡易にでき、キャビネット３を表示部１により一層簡易に取付けることができる。
【００３０】
実施の形態２
図１１は本発明に係る表示装置の他の構成を示す要部の断面図、図１２はキャビネット３を取外している状態の断面図である。この表示装置は、実施の形態１のように規制手段及び位置決め手段を等位置に設ける代わりに、規制手段と位置決め手段とを表示面に沿う方向へ離隔して設けたものである。
【００３１】
規制手段は、基板４に開設された複数の孔４３と、蓋板部３２の内側に前方へ向けて延出され、孔４３に嵌入される円柱形をなす複数の凸部３７とを有する。凸部３７の先端は面取りされ、孔４３に嵌入される際のガイド面になっている。また、基板４には、孔４３と離隔した位置に開設された複数の仮位置決め孔４４、及び挿通孔４５を有し、仮位置決め孔４４に遊嵌される仮位置決め凸部５６、及び挿通孔４５に遊嵌され、中心部に螺子孔５７ａを有する軸部５７が支持板５の支持片５４にバーリング加工により設けられている。
【００３２】
位置決め手段は、複数の軸部５７と、蓋板部３２の内側から前方へ向けて延出された円筒形をなすボス３８の先端部に開設され、軸部５７が嵌入される嵌入孔３８ａとを有する。
【００３３】
この表示装置にあっては、キャビネット３が組込まれる際、例えば基板４の仮位置決め孔４４に仮位置決め凸部５６が遊嵌合され、基板４が支持板５に仮位置決めされ、また、基板４の挿通孔４５に軸部５７が遊嵌合される。この状態でキャビネット３を表示部１の後側に被せることにより、該キャビネット３の仮位置決め凸部５６を基板４の仮位置決め孔４４に嵌入することができ、さらに、軸部５７を嵌入孔３８ａに嵌入することができる。この嵌入により基板４とキャビネット３との表示面に沿う方向への相対移動を規制することができるとともに、キャビネット３のシャーシ１２ｂ（表示部１）に対する位置を決めることができる。この後、キャビネット３のボス３８内に挿入されるビス等の雄螺子７を軸部５７の螺子孔５７ａに締込むことにより、基板４を支持板５の支持片５４に挾着固定することができるとともに、キャビネット３の蓋板部３２を、支持板５を介してシャーシ１２ｂに固定することができる。従って、比較的大形の表示装置でキャビネット３に寸法のバラツキが生じ易い場合であっても、基板４に実装されている端子４１と、キャビネット３の開放部３４とを正確に位置合わせすることができ、端子４１外周部と開放部３４との間の隙間を僅少にできる。
【００３４】
また、表示部１及びキャビネット３の一方に開設されている嵌入孔３８ａと、該嵌入孔３８ａに嵌入され、他方に突設されている軸部５７とが位置決め手段を構成することにより、キャビネット３が組込まれる際、キャビネット３の表示部１に対する位置を容易に決めることができる。また、規制手段の近傍に位置決め手段を配することができ、規制手段による規制及び位置決め手段による位置決めを簡易にできる。
【００３５】
また、基板４を支持している支持板５に仮位置決め凸部５６、軸部５７を一体に成形してあるため、規制手段による規制及び位置決め手段による位置決めを簡易にできる。
【００３６】
尚、以上説明した実施の形態では、規制手段として基板４に孔４２，４３を設け、キャビネット３に凸部３６，３７を設けたが、その他、基板４に凸部３６又は３７を設け、キャビネット３に孔４２又は４３を設ける構成としてもよい。また、位置決め手段として、支持板５に軸部５５又は軸部５７を設け、キャビネット３に孔３６ａ又は嵌入孔３８ａを設けたが、その他、支持板５に孔３６ａ又は嵌入孔３８ａを設け、キャビネット３に軸部５５又は軸部５７を設ける構成としてもよい。
【００３７】
また、以上説明した実施の形態では、基板４を支持する支持板５とキャビネット３とに規制手段、及び位置決め手段を設けたが、その他、支持板５をなくし、基板４をシャーシ１２ｂに取付け、該シャーシ１２ｂとキャビネット３とに規制手段、位置決め手段を設ける構成としてもよい。
【００３８】
また、本発明に係る表示装置は液晶テレビジョン等の液晶表示装置である他、プラズマ表示装置、ＥＬディスプレイ等の表示装置であってもよい。
【図面の簡単な説明】
【００３９】
【図１】本発明に係る表示装置の構成を示す縦断側面図である。
【図２】本発明に係る表示装置の構成を示す正面図である。
【図３】本発明に係る表示装置の基板モジュールの構成を示す背面図である。
【図４】本発明に係る表示装置の支持板の構成を示す背面図である。
【図５】本発明に係る表示装置の支持板の構成を示す側面図である。
【図６】本発明に係る表示装置の基板モジュールがシャーシに取付けられた状態を示す側面図である。
【図７】本発明に係る表示装置の要部の拡大断面図である。
【図８】本発明に係る表示装置の要部の部品を分解した状態の拡大断面図である。
【図９】本発明に係る表示装置の構成を示す一部を拡大した縦断側面図である。
【図１０】本発明に係る表示装置のキャビネットの構成を示す背面図である。
【図１１】本発明に係る表示装置の他の構成を示す要部の断面図である。
【図１２】本発明に係る表示装置のキャビネットを取外している状態の断面図である。
【符号の説明】
【００４０】
１    表示部
３    キャビネット
３４  開放部
３６，３７  凸部（規制手段）
３６ａ  孔（位置決め手段）
３８ａ  嵌入孔（位置決め手段）
４    基板
４１  端子
４２，４３  孔（規制手段）
５    支持板
５５，５７  軸部（位置決め手段）
【図１】
2008292689.tif 000003
【図２】
2008292689.tif 000004
【図３】
2008292689.tif 000005
【図４】
2008292689.tif 000006
【図５】
2008292689.tif 000007
【図６】
2008292689.tif 000008
【図７】
2008292689.tif 000009
【図８】
2008292689.tif 000010
【図９】
2008292689.tif 000011
【図１０】
2008292689.tif 000012
【図１１】
2008292689.tif 000013
【図１２】
2008292689.tif 000014